(57)【要約】【課題】製造や取り扱いが容易であり、且つ全体の小型化を図ることができる配送伝票を提供する。【解決手段】裏面に接着剤２とこの接着剤２を被覆する離型紙３を有する貼着票４と、該貼着票４の表面に疑似接着されている下側伝票６と、該下側伝票６の上側に重ねられ一側縁で切り取り可能に綴じられている上側伝票７とからなり、該上側伝票７の裏面にカーボン層１３を有する構成とした。【選択図】　図１
2004042535.tif 000002
【特許請求の範囲】
【請求項１】
裏面に接着剤とこの接着剤を被覆する離型紙を有する貼着票と、該貼着票の表面に疑似接着されている下側伝票と、該下側伝票の上側に重ねられ一側縁で切り取り可能に綴じられている上側伝票とからなり、該上側伝票の裏面にカーボン層を有することを特徴とする配送伝票。
【請求項２】
裏面に接着剤とこの接着剤を被覆する離型紙を有する貼着票と、該貼着票の表面に疑似接着されている下側伝票と、該下側伝票の上側に重ねられ一側縁で切り取り可能に綴じられている上側伝票とからなり、該上側伝票の裏面に顕色剤層を有し、前記下側伝票の表面には発色剤層を有することを特徴とする配送伝票。
【請求項３】
前記貼着票の表面に疑似接着されている下側伝票が、切り離し可能に連接された荷札と受領票とからなっており、また前記上側伝票が、配送受注時に取り去る荷送り人控え票や請求書票等の配送受注時分離伝票となっていることを特徴とする請求項１又は２に記載の配送伝票。
【発明の詳細な説明】
【０００１】
【発明の属する技術分野】
本発明は、配送品の配送作業に用いられる配送伝票に関するものである。
【０００２】
【従来の技術】
従来、配送品の配送作業に用いられる配送伝票として、裏面に接着剤とこの接着剤を被覆する離型紙を有する貼着票の表面側に、荷送り人控え票、請求書票、荷札、送り状、受領票等となる複数枚の伝票が重ねて綴じられた構成からなっており、配送受注時に前記荷送り人控え票、請求書票が取り去られるとともに、貼着台紙の裏面の離型紙が剥がされて配送品に貼着され、そして、配送先で受領票を取り去り、受領印を受けて持ち帰るといったものが知られている。
【０００３】
近年、レーザープリンターやサーマルプリンター等の普及にともない、荷送り人控え票、荷札、送り状、受領票等を１枚の伝票で形成し、それぞれを切り離し可能とした１枚の伝票を貼着票の表面に疑似接着した配送伝票が数多く提案されている。この種の配送伝票は、情報の表示を縦から横にすることにより、レーザープリンターやサーマルプリンター等の使用を可能とするとともに、前記複数枚の伝票を重ねて綴じた構成からなる配送伝票に比べ構成を簡単にすることにより製造や取り扱いを容易にすることを目的とするものであり、そこには複写といった考えは全くない。
【０００４】
【発明が解決しようとする課題】
上記荷送り人控え票、荷札、送り状、受領票等を１枚の伝票で形成し、それぞれを切り離し可能とした１枚の伝票を貼着票の表面に疑似接着した配送伝票によれば、前記のように情報の表示を縦から横にした結果、１枚への情報の表示量が多くなり、その分伝票の面積が大きくならざるを得ず、小さい荷物への貼着が困難になる場合があるといった問題がある。
【０００５】
本発明者等は、上記問題点を解決すべく研究した結果、１枚の伝票を貼着票の表面に疑似接着した配送伝票に、情報表示に複写といった考えを取り入れ、貼着票の表面に疑似接着した伝票の上側に伝票を重ね、上側の伝票への記録を下側の伝票に複写可能として、前記横に表示する情報の一部を縦に移行することにより、製造や取り扱いの容易性を維持しながら、全体の小型化を図ることに成功した。
【０００６】
即ち、本発明の目的は、製造や取り扱いが容易であり、且つ全体の小型化を図ることができる配送伝票を提供することにある。
【０００７】
【課題を解決するための手段】
上記の目的を達成するために、請求項１に記載の発明は、裏面に接着剤とこの接着剤を被覆する離型紙を有する貼着票と、該貼着票の表面に疑似接着されている下側伝票と、該下側伝票の上側に重ねられ一側縁で切り取り可能に綴じられている上側伝票とからなり、該上側伝票の裏面にカーボン層を有することを特徴とする。
【０００８】
かかる構成から、配送情報を下側伝票と上側伝票に表示できるので、従来１枚の伝票に配送情報を表示していた配送伝票に比較し、全体の小型化が図れる。また、その構成は、貼着票の表面に疑似接着した下側伝票の上側に上側伝票を重ね、一側縁で切り取り可能に綴じたものであるので、製造や取り扱いが容易である。
【０００９】
請求項２に記載の発明は、裏面に接着剤とこの接着剤を被覆する離型紙を有する貼着票と、該貼着票の表面に疑似接着されている下側伝票と、該下側伝票の上側に重ねられ一側縁で切り取り可能に綴じられている上側伝票とからなり、該上側伝票の裏面に顕色剤層を有し、前記下側伝票の表面には発色剤層を有することを特徴とする。
【００１０】
かかる構成から、配送情報を下側伝票と上側伝票に表示できるので、従来１枚の伝票に配送情報を表示していた配送伝票に比較し、全体の小型化が図れる。また、その構成は、貼着票の表面に疑似接着した下側伝票の上側に上側伝票を重ね、一側縁で切り取り可能に綴じたものであるので、製造や取り扱いが容易である。更に、該上側伝票の裏面に顕色剤層を有し、前記下側伝票の表面には発色剤層を有するので、取扱中、下側伝票の表面に不本意な汚れが発生するといった問題は無く、綺麗な印字が得られる。
【００１１】
請求項３に記載の発明は、請求項１又は２に記載の、前記貼着票の表面に疑似接着されている下側伝票が、切り離し可能に連接された荷札と受領票とからなっており、また前記上側伝票が、配送受注時に取り去る荷送り人控え票や請求書票等の配送受注時分離伝票となっていることを特徴とする。
【００１２】
このようにすることにより、上側伝票が荷送り人控え票や請求書票等の配送受注時分離伝票となり、下側伝票は荷札と受領票だけとなるので、全体の小型化が図れ、小さい荷物への対応が容易となり、また、荷送り人控え票や請求書票等の配送受注時分離伝票となる上側伝票は、配送受注時に切り取られ、荷物には、貼着票の表面に疑似接着されている下側伝票のみが貼着票を介して貼着されることになり、配送中に伝票が脱落するといった問題は生じない。
【００１３】
【発明の実施の形態】
以下、本発明に係る配送伝票の実施の形態の一例を説明する。
図１は本発明に係る配送伝票の実施の形態の第１例を示す分解斜視図である。本例の配送伝票１は、裏面に接着剤２と、この接着剤２を被覆する離型紙３を有する貼着票４と、該貼着票４の表面に疑似接着剤５により剥離可能に疑似接着されている下側伝票６と、該下側伝票６の上側に重ねられ一側縁で切り取り可能に綴じられている上側伝票７とからなる。
【００１４】
前記貼着票４の表面に下側伝票６を疑似接着する疑似接着剤５にあっては、公知の疑似接着剤が使用され、特に限定されるものではない。また、該下側伝票６の上側に重ねられ一側縁で綴じられている上側伝票７は、接着剤８で接着されて綴じられており、接着剤８で接着される接着箇所に沿ってミシン目９が形成されており、このミシン目９から切り取れるようになっている。
【００１５】
前記下側伝票６にあっては、ミシン目１０で切り離し可能に連接された荷札６ａ、受領票６ｂからなっており、また、前記上側伝票７にあっては、配送受注時に取り去る荷送り人控え票７ａや請求書票７ｂの配送受注時分離伝票７Ａとなっており、荷送り人控え票７ａと請求書票７ｂはミシン目１１で切り離し可能に連接されている。また、下側伝票６には、接着剤８で接着される接着箇所に沿ってミシン目１２が形成されており、このミシン目１２から接着箇所が切り取れるようになっている。
【００１６】
更に、前記上側伝票７の裏面には、上側伝票７に記入した情報を下側伝票６に複写するカーボン層１３を有している。
【００１７】
このように構成した配送伝票１は、上側伝票７が荷送り人控え票７ａや請求書票７ｂ等の配送受注時分離伝票７Ａとなり、下側伝票６は荷札６ａと受領票６ｂとなり、配送情報を下側伝票６と上側伝票７に表示できるので、従来１枚の伝票に配送情報を表示していた配送伝票に比較し、全体の小型化が図れ、特に小さい荷物への対応が容易となる。また、その構成は、貼着票の表面に疑似接着した下側伝票の上側に上側伝票を重ね、一側縁で切り取り可能に綴じたものであるので、製造や取り扱いが容易であり、特に、本例では、荷送り人控え票７ａや請求書票７ｂ等の配送受注時分離伝票７Ａとなる上側伝票７は、配送受注時にミシン目９，１１から切り取られ、荷物には、貼着票４の表面に疑似接着されている下側伝票６のみが貼着票４を介して貼着されることになり、配送中に伝票が脱落するといった問題は生じない。
【００１８】
更に、前記上側伝票７の裏面には、上側伝票７に記入した情報を下側伝票６に複写するカーボン層１３を有しているので、上側伝票７に筆記或いはドットプリンター等で情報を記入することにより、該情報を下側伝票６に複写することができる。
【００１９】
図２は本発明に係る配送伝票の実施の形態の第２例を示す分解斜視図である。本例の配送伝票１は、前記第１例の上側伝票７の裏面にカーボン層１３がなく、この代わりに、上側伝票７の裏面に顕色剤層１４を有し、下側伝票６の表面には発色剤層１５を有している。これ以外の構成は前記第１例と同様である。
【００２０】
このように構成した配送伝票１は、上側伝票７の裏面に顕色剤層１４を有し、前記下側伝票６の表面には発色剤層１５を有するので、配送伝票１の取扱中、下側伝票６の表面に不本意な汚れが発生するといった問題は無く、上側伝票７に筆記或いはドットプリンター等で情報を記入したとき、下側伝票６に綺麗な印字が得られる。
【００２１】
【発明の効果】
以上のように、請求項１に記載の配送伝票によれば、配送情報を下側伝票と上側伝票に表示でき、従来１枚の伝票に配送情報を表示していた配送伝票に比較し、全体の小型化が図れ、また、その構成は、貼着票の表面に疑似接着した下側伝票の上側に上側伝票を重ね、一側縁で切り取り可能に綴じたものであるので、製造や取り扱いが容易である。
【００２２】
請求項２に記載の配送伝票によれば、配送情報を下側伝票と上側伝票に表示でき、従来１枚の伝票に配送情報を表示していた配送伝票に比較し、全体の小型化が図れ、また、その構成は、貼着票の表面に疑似接着した下側伝票の上側に上側伝票を重ね、一側縁で切り取り可能に綴じたものであるので、製造や取り扱いが容易であり、更に、該上側伝票の裏面に顕色剤層を有し、前記下側伝票の表面には発色剤層を有するので、取扱中、下側伝票の表面に不本意な汚れが発生するといった問題は無く、綺麗な印字を得ることができる。
【００２３】
請求項３に記載の配送伝票によれば、請求項１又は２に記載の、前記貼着票の表面に疑似接着されている下側伝票が、切り離し可能に連接された荷札と受領票とからなっており、また前記上側伝票が、配送受注時に取り去る荷送り人控え票や請求書票等の配送受注時分離伝票となっているので、全体の小型化が図れ、小さい荷物への対応が容易となり、また、荷送り人控え票や請求書票等の配送受注時分離伝票となる上側伝票は、配送受注時に切り取られ、荷物には、貼着票の表面に疑似接着されている下側伝票のみが貼着票を介して貼着されることになり、配送中に伝票が脱落するといった問題は生じない。
【図面の簡単な説明】
【図１】本発明に係る配送伝票の実施の形態の第１例を示した分解斜視図。
【図２】本発明に係る配送伝票の実施の形態の第２例を示した分解斜視図。
【符号の説明】
１　配送伝票
２　接着剤
３　離型紙
４　貼着票
５　疑似接着剤
６　下側伝票
６ａ　荷札
６ｂ　受領票
７　上側伝票
７ａ　荷送り人控え票
７ｂ　請求書票
７Ａ　配送受注時分離伝票
８　接着剤
９，１０，１１，１２　ミシン目
１３　カーボン層
１４　顕色剤層
１５　発色剤層
【図１】
2004042535.tif 000003
【図２】
2004042535.tif 000004